(57)【特許請求の範囲】
【請求項１】
フロントハウジングとリアハウジングから成るプッシュタイプキーボックスの蓋において、プッシュボタンの押し放し操作により回転ピンが押し放しされ、左右対に分割されたタンブラーが押し放しされて、このときタンブラーホールドプレートのヒンジ爪により押されたタンブラーを保持、解除することにより、ロックプレートの動きを阻止、解除するよう配備されていて、ラッチがロックプレートと直結されており、開閉ボタンの操作でクッションスプリングを介し、ラッチが降下、上昇することを特徴とするプッシュタイプキーボックスの蓋。
【請求項２】
開閉ボタンと、ロックプレート及びラッチとが、直結せずに、クッションスプリングを介して作動させることを特徴とする請求項１に記載のプッシュタイプキーボックスの蓋。
【請求項３】
ロックプレートやタンブラーなどの内部部品を樹脂から形成されることを特徴とする請求項１或いは２に記載のプッシュタイプキーボックスの蓋。
【発明の詳細な説明】
【技術分野】
【０００１】
この発明は、キーボックスの内部部品が破錠行為に弱いために強度を有する構造のプッシュタイプキーボックスに関する。
【背景技術】
【０００２】
プッシュタイプボタン錠として、ボタン本体をケースフレームに挿入状態にしたまま、記憶状態と非記憶状態を選択し、又はハンドルが容易に抜き取りが出来ないように、且つ左右の使い勝手が選択自在に出来るボタン錠が特開平１１−２５６８９６号公報（特許文献１）から知られている。
【０００３】
さらに、操作ボタンに対して情報の設定量を増加し、膨大な設定情報とその広範な選択を得られ、防御能力の向上と構成の簡潔化並びに小形軽量化を図れ、これを安価に製作できるとともに、情報の設定又は入力並びにその変更操作を正確且つ安全に、しかも、容易且つ合理的に行われるとともに、設定又は入力した情報の解読若しくは察知を不可能にして、第三者による悪戯や改鼠を防止し得るボタン錠が特開平２００４−８４４６０号公報（特許文献２）から知られている。
【０００４】
例えばボタン錠とシリンダ錠等の複数の錠前を装備し、個々の錠前の機能を補完し、且つそれらの防御機能を相加することで、不正解錠を確実に且つ強力に阻止し得る複合錠も、特開平２００５−２９９７３号公報（特許文献３）から知られている。
【０００５】
また、例えばサッシ窓の開閉具であるクレセントに好適で、暗証情報を入力したボタン操作によってクレセントの開閉を制御し、従来の二重ロック機構やキー操作による使用上及び安全上の問題を解消するとともに、真正な使用者だけにクレセントの開閉を許容し、クレセントの防御機能を強化するとともに使用上の安全性を確保し、しかも小形軽量化を図れる施錠装置も、特開平２００５−９７９０４号公報（特許文献４）から知られている。
【０００６】
さらに、キーボックス構造の先行技術として、この出願人により特許出願されている特許出願第２００９ー２３３２２９号（特許文献５）があり、この発明は、強度を持たせた上で回転と取外しができる扉構造とし、掛け金を容易にい脱着できる構造にして兼用化を図り、カード等を収納しても、取出し易い構造であって、取付けの容易化と色彩のある外観を持った軟質樹脂構造とするキーボックス構造を提供している。
【０００７】
既存のプッシュボタン式キーボックスにおいて、０〜９の数字の１０個のボタンを任意に押し、蓋を開ける構造であるが、各ボタンは１回の操作しか出来ない１０２４通りのパターンであるために、パターンを増やす構造とする。また、開閉ボタンはラッチと直結であり、内部部品が破錠行為に弱いために強い構造とすることが求められていた。
【先行技術文献】
【特許文献】
【０００８】
【特許文献１】特開平１１−２５６８９６号公報
【特許文献２】特開平２００４−８４４６０号公報
【特許文献３】特開平２００５−２９９７３号公報
【特許文献４】特開平２００５−９７９０４号公報
【特許文献５】特許出願第２００９ー２３３２２９号
【発明の概要】
【発明が解決しようとする課題】
【０００９】
この発明の課題は、タンブラーの２対化をすることにより設定パターンを大幅に増加させて、破錠行為を行ってもクッションスプリングが撓むだけで解錠することが出来ず、このクッションスプリングにより内部部品への過大荷重を回避出来るプッシュタイプキーボックスを提供することである。
【課題を解決するための手段】
【００１０】
この課題は、フロントハウジングとリアハウジングから成るプッシュタイプキーボックスの蓋において、プッシュボタンの押し放し操作により回転ピンが押し放しされ、左右対に分割されたタンブラーが押し放しされて、このときタンブラーホールドプレートのヒンジ爪により押されたタンブラーを保持、解除することにより、ロックプレートの動きを阻止、解除するよう配備されている、ラッチがロックプレートと直結されており、開閉ボタンの操作でクッションスプリングを介し、ラッチが降下、上昇することを特徴とするプッシュタイプキーボックスの蓋によって解決される。
【００１１】
この発明のプッシュタイプキーボックスは、開閉ボタンのロックプレート及びラッチとの直結を廃止し、クッションスプリングを介して作動させるので、不正時、即ち暗証番号が照合しない時は、タンブラーによりロックプレートの降下が阻止される為、開閉ボタンを下げても、クッションスプリングが撓むだけで、ラッチを降下させることは出来ない。
【００１２】
この発明のプッシュタイプキーボックスは、ロックプレートやタンブラーなどの内部部品を樹脂から形成されることから、軽量化され且つ安価に製作できる。
【発明の効果】
【００１３】
タンブラーの２対化をすることにより、従来の設定パターン（１０２４通り）に対して５９０４９通りと大幅な増加となり、不正行為に対する安全性の向上となった。また、暗証番号もダブリ設定（同一数字を２回使用可能）が出来るため、誕生日や車のナンバー、月日等、記憶し易い数字の設定が可能になった。
【００１４】
破錠行為（開閉ボタンを叩くなど）を行ってもクッションスプリングが撓むだけで解錠することが出来ず、このクッションスプリングによりロックプレートやタンブラーなどの内部部品への過大荷重を回避出来てラッチを除く内部部品の樹脂化が可能になった。
【図面の簡単な説明】
【００１５】
【図１】プッシュボタンの２回押し設定の各部品の動作を示す。                        イ）は初期状態を示す。    ロ）は回転ボタン及びタンブラーが押された状態を示す。    ハ）は回転ボタンが１８０°回転して戻った状態を示す。    ニ）は再度回転ボタン及びタンブラーが押された状態を示す。    ホ）は再度回転ボタンが１８０°回転して戻った状態を示す。
【図２−１】タンブラーを押す前の状態を示す。
【図２−２】タンブラーを押してタンブラーホールドプレートのヒンジ爪がタンブラーの斜面部に沿って撓む状態を示す。
【図２−３】タンブラーホールドプレートのヒンジ爪によりタンブラーを保持する状態を示す。
【図２−４】再びタンブラーを押してタンブラーホールドプレートのヒンジ爪がフックから外れた状態を示す。
【図２−５】タンブラーホールドプレートのヒンジ爪が傾斜部を越えて元の位置に戻って行く状態を示す。
【図２−６】タンブラーが元の位置に戻った状態を示す。
【図３】内部部品に無理な荷重が加わらない構造の初期状態を示す。
【図４】内部部品に無理な荷重が加わらない構造のラッチが下がった状態を示す。
【図５】内部部品に無理な荷重が加わらない構造の開閉ボタンのみが下がった状態を示す。
【図６】キーボックスの外観図、断面図を示す。    イ）はキーボックスの外観の正面、側面と上面を表す状態を示す。    ロ）は蓋の内側を示す。    ハ）は側面断面図を示す。
【図７】キーボックスの蓋を分解された前方斜視図を示す。
【図８】キーボックスの蓋を分解された後方斜視図を示す。
【発明を実施するための形態】
【００１６】
この発明は、パターンを増やす構造として、タンブラーの２対化を成し、プッシュボタン５を押す度に、回転ピン６が１８０°回転することにより、２対（半円状）のタンブラーＲ１０、Ｌ１１を交互に押し出す構造とした。
【００１７】
回転ピン６の回転は、回転ピンサポートブラケット８内に設けた螺旋溝部を回転ピン６が回転ピンリターンスプリング７の力により回転しながら戻される為、１８０°回転する。蓋の裏面よりタンブラー１０、１１に設けられたマイナス溝をドライバー等で回転させることにより、２回押し（９０°回転時）、１回押し（１８０°回転時）に対応させることができる。
【００１８】
図１には、プッシュボタン５を２回押し設定の各部品の動作を示し、図１イには、初期状態を示し、図１ロには、プッシュボタン５を押すことにより、回転ピン６及びタンブラーＬ１１が押された状態を示し、図１ハには、プッシュボタン５が戻ると同時に回転ピン６が１８０°回転して戻った状態を示し、１回押した状態では、タンブラーＬ１１のみ押され（斜線）ロックプレート１４は降下出来ない。
【００１９】
図１ニには、再度プッシュボタン５を押すことにより、回転ピン６及びタンブラーＲ１０が押された状態を示し、図１ホには、再度プッシュボタン５が戻ると同時に回転ピン６が１８０°回転して戻った状態（初期と同じ位置）を示し、２対のタンブラーＲ１０、Ｌ１１が押されてロックプレート１４の降下が可能である。
【００２０】
この発明は、不正解錠構造（読み取られ防止構造）として、プッシュボタン５により、タンブラーＲ１０、Ｌ１１を押した時のタンブラーホールドプレート９のヒンジ爪９ａによるタンブラーＲ１０、Ｌ１１の保持及び解除する過程を表したもので、規定回数（１回）以上押すと、タンブラーＲ１０、Ｌ１１が押す前の状態に戻ってしまい、１回押し、２回押しの設定状態の読み取られるのを防止した構造とした。
【００２１】
図２はタンブラーホールドプレートのヒンジ爪によるタンブラーの保持及び解除する過程を示す。
図２には、タンブラーＲ１０、Ｌ１１とタンブラーホールドプレート９の動きを示し、図２−１には、タンブラーＲ１０、Ｌ１１を押す前の状態を示し、タンブラーＲ１０、Ｌ１１を矢印（１）方向に押すと、タンブラーＲ１０、Ｌ１１のＡ面をタンブラーホールドプレート９のヒンジ爪９ａが移動して行く。図２−２には、タンブラーＲ１０、Ｌ１１を押してタンブラーホールドプレートのヒンジ爪９ａがタンブラーＲ１０、Ｌ１１の斜面部に沿って撓む状態を示す。タンブラーホールドプレート９のヒンジ爪９ａがタンブラーＲ１０、Ｌ１１のＡ面を過ぎると、Ａ面を移動し、撓んだヒンジ爪９ａが元の位置まで戻ろうとしている為、Ｂ面まで（矢印（３）方向）戻される。
【００２２】
図２−３には、タンブラーホールドプレート９のヒンジ爪９ａによりタンブラーを保持する状態を示す。プッシュボタン５を放すと、タンブラーＲ１０、Ｌ１１が少量戻り、タンブラーホールドプレート９のヒンジ爪９ａによりタンブラーＲ１０、Ｌ１１を保持する。タンブラーＲ１０、Ｌ１１はタンブラーリターンスプリング１２により矢印（４）方向に戻ろうとしている為、タンブラーホールドプレート９のヒンジ爪９ａは、矢印（５）方向にタンブラーＲ１０、Ｌ１１をの傾斜面Ｃを乗り上げ、垂直面Ｄまで上がり、（矢印（６）方向）Ｅ面まで戻ったところで保持される。
【００２３】
ここまでは正規動作であるけれども、図２−４には、もう一度、タンブラーＲ１０、Ｌ１１を矢印（７）方向に押すと、タンブラーホールドプレート９の爪９ａがＥ面より外れ、矢印（８）方向に戻される、即ち元の位置に戻される。図２−５には、タンブラーＲ１０、Ｌ１１は図２−３と同様に、タンブラーリターンスプリング１２により矢印（９）方向に戻ろうとしている為、タンブラーホールドプレート９のヒンジ爪９ａは、矢印（１０）方向にタンブラーＲ１０、Ｌ１１の傾斜面Ｆ、Ｇを乗り越える。図２−６には、タンブラーＲ１０、Ｌ１１が元の位置に戻った状態を示す。
【００２４】
この発明は、破錠行為に強い構造として、開閉ボタン１のロックプレート１４及びラッチ１５との直結を廃止し、コイルスプリングであるクッションスプリング１３を返し、作動させる構造とした（図３）。
【００２５】
上記の様に、正常なタンブラー操作を行った場合、即ち暗証番号が照合して開閉ボタン１を下げる場合、図４の様に開閉ボタン１の下げる力は、クッションスプリング１３を返し、ロックプレート１４に伝達され、ロックプレート１４がタンブラーＲ１０、Ｌ１１の溝に入り込み、ねじによって固定されたラッチ１５を規定量Ａだけ降下させる。
【００２６】
不正時、即ち暗証番号が照合しない時は、タンブラーＲ１０、Ｌ１１によりロックプレート１４の降下が阻止される為、開閉ボタン１を下げても、図５の様にクッションスプリング１３が撓むだけで、ラッチ１５を降下させることは出来ない。開閉ボタン１は、規定量下がると、フロントハウジング２がストッパになっており、タンブラーＲ１０、Ｌ１１はクッションスプリング１３の撓みによる荷重が加わるだけである為、従来品の様にタンブラーＲ１０、Ｌ１１に過大荷重がかかることが無く、破錠出来ない。
【００２７】
この開閉ボタン１のボタン操作が不正の場合には、ロックプレート１４がタンブラーＲ１０、Ｌ１１に阻止されて降下出来ない為、クッションスプリング１３が撓み開閉ボタン１のみを降下する。
【００２８】
図６は掛け金２０タイプのキーボックスの外観図、断面図を示し、図６イはキーボックスの外観の正面、側面と上面を表す状態を示し、図６ロは蓋の内側を示し、タンブラーＲ１０、Ｌ１１の初期位置と９０°設定（２回押し対応）、１８０°設定（１回押し対応）をした状態であり、更に図６ハは側面断面図を示し、開閉ボタン１の部分を上面と側面の断面図にして、図１の構成を表している。キーボックスは合成樹脂で形成されて、その内側に安全強度上に鉄板を設置してある。  
【００２９】
図７はキーボックスの蓋を分解した前方斜視図を示し、図８はキーボックスの蓋を分解した後方斜視図を示し、ここでは、プッシュボタン５、回転ピン６、回転ピンリターンスプリング７、右タンブラーＲ１０、左タンブラーＬ１１、タンブラーリターンスプリング１２は一個しか開示していないが、実際には１０個使用されている。
キーボックスのフロントハウジング２とリアハウジング１７の内部にはタンブラーホールドプレート９やロックプレート１４が収納されていて、プッシュボタン５、回転ピン６、タンブラーＲ１０、Ｌ１１を左右に分割されたタンブラーＲ１０とタンブラーＬ１１などもセットされている。
【００３０】
開閉ボタン１はワッシャー３とＣリング４でフロントハウジング２に摺動可能に取付けられ、その先端はクッションスプリング１３のコイル中心に挿入されていて、クッションスプリング１３のアーム部がロックプレート１４にセットされている。ラッチ１５がビス１６によりロックプレート１４に固定されている。
さらに、回転ピン６や回転ピンリターンスプリング７を回転ピンサポートブラケット８に収納する。左右タンブラーＲ１０、Ｌ１１はタンブラーホールドプレート９に保持されてタンブラーリターンスプリング１２やクッションスプリング１３を介してロックプレート１４にセットされている。
【符号の説明】
【００３１】
１．．．．．開閉ボタン
２．．．．．フロントハウジング
３．．．．．ワッシャー
４．．．．．Ｃリング
５．．．．．プッシュボタン
６．．．．．回転ピン
７．．．．．回転ピンリターンスプリング
８．．．．．回転ピンサポートブラケット
９．．．．．タンブラーホールドプレート
９ａ．．．．タンブラーホールドプレートヒンジ爪
１０．．．．．タンブラーＲ
１１．．．．．タンブラーＬ
１２．．．．．タンブラーリターンスプリング
１３．．．．．クッションスプリング
１４．．．．．ロックプレート
１５．．．．．ラッチ
１６．．．．．ビス
１７．．．．．リアハウジング
２０．．．．．掛け金
【図１】
0005570797.tif 000002
【図２−１】
0005570797.tif 000003
【図２−２】
0005570797.tif 000004
【図２−３】
0005570797.tif 000005
【図２−４】
0005570797.tif 000006
【図２−５】
0005570797.tif 000007
【図２−６】
0005570797.tif 000008
【図３】
0005570797.tif 000009
【図４】
0005570797.tif 000010
【図５】
0005570797.tif 000011
【図６】
0005570797.tif 000012
【図７】
0005570797.tif 000013
【図８】
0005570797.tif 000014